(57)【要約】【課題】 人がその前に立っても壁面の向こう側に奥行きが拡がるように見える視覚効果をもたらす照明システムを提供する。【解決手段】 照明システム（１００）は、光源（１３０）と、光源（１３０）が照射する照射光を反射する反射面を提供する装飾板（１２０）とを備えている。装飾板（１２０）の反射面は平滑な平面に対して極細の多数の平行線または平行曲線の溝を設けた反射加工面とし、支持体（１１０）は光源（１３０）を装飾板（１２０）の反射加工面に近接した状態で対向するように支持する。光源に対向する装飾板（１２０）の中央には輝点が垂直に並んで見え、各輝点の虚像の形成位置は、上下に離れるほど反射加工面からの形成位置が奥側に形成されるため、あたかも壁面の奥に水平に広がる水平面があり、その水平面上を照らした時に形成される光線軌跡のように見え、あたかも壁面の奥側に空間が拡がっているように視覚される。【選択図】 図６
2013118721.tif 000002
【特許請求の範囲】
【請求項１】
光源と、前記光源が照射する照射光を反射する反射面を提供する装飾板とを備えた照明システムにおいて、  前記装飾板の反射面を、平滑な平面に対して極細の多数の略平行線または略平行曲線の溝を設けた反射加工面とし、  前記光源からの照射光を前記装飾板の前記反射加工面に対して照射し、前記極細の多数の略平行線または略平行曲線の溝による反射光を照明効果とする照明システム。
【請求項２】
前記光源が複数個の点光源である請求項１に記載の照明システム。
【請求項３】
前記光源が１本または複数本の線光源である請求項１に記載の照明システム。
【請求項４】
前記光源が、前記装飾板の反射加工面の近隣の天井または壁面に対して取り付けられていることを特徴とする請求項１乃至３のいずれか１項に記載の照明システム。
【請求項５】
前記光源を支持する支持体を備えた構成とし、前記支持体が前記光源を前記装飾板の反射加工面に近接した状態で対向するように支持する構造物であることを特徴とする請求項１乃至３のいずれか１項に記載の照明システム。
【請求項６】
前記支持体が、前記装飾体との間に間隙を開けて前記装飾板の前に配置した棚状の桟を含む構造物であり、前記光源の支持位置が前記棚状の桟の前記装飾板に対向した面側にあることを特徴とする請求項５に記載の照明システム。
【請求項７】
前記光源の照射軸が前記装飾板の前記反射面に対して直交した角度で支持された請求項１乃至６のいずれか１項に記載の照明システム。
【請求項８】
前記光源の照射軸が前記装飾板の前記反射面に対して所定の角度を持って支持された請求項１乃至６のいずれか１項に記載の照明システム。
【請求項９】
前記光源の点滅制御、または、点灯している前記光源の切り換え制御により、前記照明効果において時間的変化があることを特徴とする請求項１乃至７のいずれか１項に記載の照明システム。
【請求項１０】
前記光源が多色の光源であり、照射光の色変化の制御により、前記照明効果において色彩的変化があることを特徴とする請求項１乃至７のいずれか１項に記載の照明システム。
【請求項１１】
請求項１乃至１０のいずれか１項に記載の照明システムを用いた建築装飾物。
【請求項１２】
請求項１乃至１０のいずれか１項に記載の照明システムを用いた壁面。
【請求項１３】
請求項１乃至１０のいずれか１項に記載の照明システムを用いた天井。
【請求項１４】
請求項１乃至１０のいずれか１項に記載の照明システムを用いた店舗装飾物。
【請求項１５】
請求項１乃至１０のいずれか１項に記載の照明システムを用いた商品陳列ケース。
【請求項１６】
請求項１乃至１０のいずれか１項に記載の照明システムを用いた家具。
【請求項１７】
請求項１乃至１０のいずれか１項に記載の照明システムを用いた看板。
【発明の詳細な説明】
【技術分野】
【０００１】  本発明は、照明システム、および当該照明システムを搭載した建築装飾物、壁面、天井、店舗装飾物、商品陳列ケース、家具、看板など様々な対象物に関するものである。  特に、照明システムは、照射光および反射光の光線の見え方が美しい視覚効果を生じるものに関する。また、照明システムを組み込んだ対象物においても照明システムが提供する照射光および反射光の美しい視覚効果により当該対象物または対象物に収納された物品などを際立たせるものに関する。
【背景技術】
【０００２】  従来技術において多様な照明システムが提案されている。  本発明の照明システムは商品陳列ケースに搭載された照明システムに限定されないが、以下、例として従来技術として商品陳列ケースに搭載された照明システムを説明する。【０００３】  例えば、特開２００６−３４６２３８号公報（特許文献１）に開示された照明システムは、商品陳列棚の棚板前部に蛍光灯などの長手の照明灯を取り付け、この棚板前部に、棚板前部及び照明灯の前部を囲繞する断面コ字状の透光性照明カバーを取り付けたものである。照明カバーの前端部を棚板の前端よりも突出させることにより、棚板の前方、上方及び下方に照明できることが記載されている。【０００４】  また、例えば、特開２００３−２７５０８０号公報（特許文献２）に開示された照明システムは、商品陳列棚の棚板の前部の下面に照明灯を取り付け、照明灯の直上部分の棚板にスリットを設け、このスリットに、照明灯から上方に照射された光を棚板上の後方に偏光させる偏光手段（横長のプリズム）を上方より嵌合させたものである。【０００５】  また、例えば、特開２００３−２８１９０８号公報（特許文献３）に開示された照明システムは、ＬＥＤと、このＬＥＤの光放出側に設置され、ＬＥＤの光を集束して放射する第１レンズと、この第１レンズの光放射側に設置され、第１レンズを介して放射された光を略平行光に集束して放射する第２レンズとを備える照明装置である。ＬＥＤを用いた照明システムは、点灯に伴う発熱量が少ない小型のＬＥＤを光源として採用することにより、長時間の照明が可能で、コンパクトに構成され、かつ平行光を照射することができ、車両室内における読書灯などとして好適に利用できる。【０００６】
【特許文献１】特開２００６−３４６２３８号公報
【特許文献２】特開２００３−２７５０８０号公報
【特許文献３】特開２００３−２８１９０８号公報
【発明の開示】
【発明が解決しようとする課題】
【０００７】  一般の店舗、オフィス、家庭など、あらゆる室内において、照明効果をうまく用いた装飾の重要性は増しつつある。  上記した従来の照明システムは、陳列する商品を際立たせる照明効果をもたらすものであり、如何に商品自体を明るく照らし出し、商品自体を輝かせて見せるという視覚効果を狙ったものであった。  しかし、一般の店舗、オフィス、家庭などで求められる照明システムは、かならずしも商品という特定の対象物を直接明るく輝かせるものばかりではなく、その空間に居合わせた人に対して、照明による美しい感覚を喚起し、周囲を含めた視覚的装飾効果が得られることも重要である。つまり、商品を強く輝かせるいわゆる直接照明ではなく、間接照明のように、商品の周囲において落ち着いた照明効果を与えることも有効である。【０００８】  また、一般の店舗、オフィス、家庭などの室内において、壁面近くの空間は重要であり、壁面近くの空間をうまく活用できれば部屋の価値が大きく向上する。特に、壁面は空間を仕切る物理的な障害物であるため、室内空間の拡がり、奥行きをもたせるため、壁面に工夫を施すことが重要である。一般には、鏡を活用することが良く用いられる手段である。壁面に鏡を取り付けることにより、鏡面に室内の映像が映り込み、あたかも室内空間が壁面で仕切られておらず、その奥側にも空間が拡がっているような錯覚が得られるからである。【０００９】  しかし、壁面に鏡を取り付けた場合、鏡の前に立った人は目前に鏡があることが視認できるし、鏡の後ろに室内の画像が映り込むので美的感覚を呼び起こすような照明効果とはならず、かえって落ち着かないという不安感を与えることもある。  鏡のように単なる鏡像を映し出すものではなく、人がその前に立っても壁面の向こう側に奥行きが拡がるように見える視覚効果をもたらす照明システムがあればその価値は大きい。【００１０】  上記課題に鑑み、本発明は、鏡のように単なる鏡像を映し出すものではなく、人がその前に立っても壁面の向こう側に奥行きが拡がるように見え、対象物の周囲を含む空間に対する落ち着いた照明効果をもたらす照明システムを提供することを目的とする。
【課題を解決するための手段】
【００１１】  上記課題を解決するために、本発明は以下の構成を備える。なお、以下に記載の構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。【００１２】  本発明の照明システムは、光源と、前記光源が照射する照射光を反射する反射面を提供する装飾板とを備えた照明システムにおいて、前記装飾板の反射面を、平滑な平面に対して極細の多数の略平行直線または略平行曲線の溝を設けた反射加工面とし、前記光源からの照射光を前記装飾板の前記反射加工面に対して照射し、前記極細の多数の略平行直線または略平行曲線の溝による反射光を照明効果とする照明システムである。  上記構成により、反射加工面には極細の多数の略平行線または略平行曲線の溝が設けられており、反射加工面に光源からの照射光が当たった場合、溝や溝間の一つ一つの突起点が点光源となりうるため、極めて多数の点光源が出現することとなる。さらにその反射加工面での反射パターンは、照射角度の大きさに応じて幾何学的に減衰するうえ、反射加工面は全体としては鏡面のようには高い反射率が得られず、点光源のような輝点の反射パターンしか出現せず、背景の映り込みのような画像はなく、また、側方には反射パターンが形成されにくく、光源位置に近い中央部分のみに反射パターンが出現する。その反射パターンは、あたかも壁面の奥に水平に広がる水平面上を照らして形成される光線軌跡のように見え、壁面の奥側に空間が拡がっているように視覚される。【００１３】  上記構成において、反射加工面が、極細の多数の溝を略平行に設けたパターンがある。  反射加工面の他のパターンとしては、極細の多数の溝を曲線状に設けたパターンがある。  上記の反射加工面のパターンであれば、光源からの照射光の反射パターンが視覚者にとって壁面の奥行きに向けて光線軌跡が延びているように見えるという視覚効果が得られる。【００１４】  次に、光源としても、複数個の点光源としても良いし、１本または複数本の線光源としても良い。光源の数や光源の種類（点光源、線光源）の違いによっても反射加工面で得られる反射光のパターンが異なり、視覚的効果が変わり得る。【００１５】  また、光源の設ける位置や場所にも様々なパターンがあり得る。  例えば、光源が、装飾板の反射加工面の近隣の天井または壁面に対して取り付けるパターンがある。  また、例えば、光源を支持する支持体を備えた構成とし、支持体が光源を装飾板の反射加工面に近接した状態で対向するように支持する構造物とするパターンがある。支持体を用いるパターンとしては、一例としては、支持体が、装飾体との間に間隙を開けて装飾板の前に配置した棚状の桟を含む構造物であり、光源の支持位置が棚状の桟の装飾板に対向した面側とする構成がある。【００１６】  また、光源の照射光を照射する角度についても様々なパターンがあり得る。  例えば、光源の照射軸が装飾板の反射面に対して直交した角度で支持するパターンがある。  また、例えば、光源の照射軸が装飾板の反���面に対して所定の角度を持って支持するパターンがある。  光源の取り付けにおいて、光源の照射軸の角度に応じて、反射加工面に奏される光源の反射パターンが変わり、視覚者にとって壁面の奥行きに向けて延びる光線軌跡の長さや角度が変化するため、奥行きの拡がり具合が比較的大きく感じたり比較的小さく感じたりするなどの視覚的効果が変化する。【００１７】  また、光源を時間的に変化させること、例えば、点滅制御、または、点灯している光源の切り換え制御により、照明効果において時間的変化を加えることも可能である。  また、さらに、光源を多色の光源とし、照射光の色変化の制御により、照明効果において色彩的変化を加えることも可能である。【００１８】  なお、上記構成において、本発明の照明システムは様々な対象物に適用することができる。  例えば、本発明の照明システムを建築装飾物に対して適用することができる。  また、例えば、本発明の照明システムを建築物の壁面に対して適用することができる。  また、例えば、本発明の照明システムを建築物の天井に対して適用することができる。  また、例えば、本発明の照明システムを店舗装飾物に対して適用することができる。  また、例えば、本発明の照明システムを商品陳列ケースに対して適用することができる。  また、例えば、本発明の照明システムを家具に対して適用することができる。  また、例えば、本発明の照明システムを看板に対して適用することができる。
【発明の効果】
【００１９】  本発明の照明システムによれば、反射加工面には極細の多数の略平行線または略平行曲線の溝が設けられており、反射加工面に光源からの照射光が当たった場合、その反射パターンは、あたかも壁面の奥に水平に広がる水平面上を照らして形成される光線軌跡のように見え、壁面の奥側に空間が拡がっているように視覚される。また、背景の映り込みのような鏡像はなく、人が壁面の前に立つとあたかも壁面の向こう側に奥行きが拡がるように見える視覚効果、装飾的効果をもたらすことができる。
【発明を実施するための最良の形態】
【００２０】  以下、図面を参照しつつ、本発明の照明システムの実施例を説明する。ただし、本発明の範囲は以下の実施例に示したものに限定されるものではないことは言うまでもない。
【実施例１】
【００２１】  最初に、本発明の照明システム１００において、特別な視覚効果が得られる原理について簡単に説明する。  本発明の照明システム１００は、装飾板１２０と、光源１３０を備えた構成となっている。  光源１３０は、照射光を照射する発光体である。発光体の発光原理は特に限定されないが、例えば、ＬＥＤ、電球などの光源、さらに、ＥＬパネル、ＬＣＤディスプレイなどの表示装置であっても光線を供給できるものであれば良い。なお、図示していないが、光源１３０に対して電気供給手段を備えているものとする。  光源１３０の種類とその個数としては、照明システム１００によって多数のバリエーションがある。例えば、複数個の点光源としても良いし、１本または複数本の線光源としても良い。  また、光源１３０の照射軸については、装飾板１２０の反射面に対して直交した角度であっても良いし、所定の角度を持って支持されたものでも良い。【００２２】  装飾板１２０は、光源１３０が照射する照射光を反射する反射面を提供するものである。  ここで、装飾板１２０の大きな特徴として、反射面となる箇所は、平滑な平面に対して極細の多数の略平行直線または略平行曲線の溝を設けた反射加工面となっている点である。例えば、平滑な金属面などの平面に対して、旋盤などで一定方向に極細な溝を多数設けたものである。ワイヤーを束ねた部材で一方向に細かい傷をつけることでも良い。金属面に施すヘアライン加工もこの加工の一つである。一般にはヘアライン加工とは、金属表面に傷を付けることにより髪の毛ほどの極細の溝を一方向に多数設ける加工である。  本発明の照明システム１００は、光源１３０からの照射光を装飾板１２０の反射加工面に対して照射し、極細の多数の略平行直線または略平行曲線の溝による反射光を照明効果とする。【００２３】  上記構成によって、特別な視覚効果が得られる原理について簡単に説明する。  図１は、装飾板１２０の反射加工面の一部を拡大した図である。図１に示すように、反射加工面には、極細の溝１２２と、溝１２２の間にある山部分１２１がある。  実際の反射加工面は、マクロとしては多数の極細の略平行線または略平行曲線の溝１２２が設けられているが、ここでは、模式的に略水平に極細の溝１２２が設けられているものとする。ミクロで見ると、図１のようにすべての溝１２２が一方向に揃っていなくとも、略平行線または略平行曲線であれば良い。【００２４】  もし、鏡面であれば、ミクロにおいても平面は平滑で高い反射率を持ち、光学的に入射角度に応じて反射角度が決まり、照射光から反射光が一意に得られるものとなる。そのため、鏡像としてＬＥＤ光源の反射像が明瞭に見える。【００２５】  一方、図１に示したような多数の極細の略平行線または略平行曲線の溝１２２が設けられた反射加工面の場合、反射率は鏡面よりは低く、光学的には、山部分１２１、谷となる溝部分１２２により複雑に反射するものの、マクロ全体では山部分１２１および溝１２２が略平行に走っているため、光学的には照射された箇所が一種の点光源となり、当該箇所に輝点が現れる。【００２６】  ここで、この輝点の現れる箇所であるが、反射加工面の場合、あらゆる点に均一に輝点が現れるのではなく、マクロ全体では山部��１２１、溝１２２が略水平に走っているため、山部分１２１では水平方向には鏡面のように入射角度に応じて反射角度が決まるように振る舞ったり、溝部分１２２では吸収されたりするため、光学的にはマクロでは、水平方向には点光源が複数生じるわけではなく、中心線に沿った部分のみに輝点が現れる。【００２７】  図２は、一つの水平線を仮定し、その水平線上に照射された照射光からの反射光の振る舞いをマクロで見た図である。図２に示すように、山部分１２１では水平方向には鏡面のように入射角度に応じて反射角度が決まるように振る舞ったり、溝部分１２２では吸収されたりするため、光学的にはマクロでは、水平方向には減衰が大きく、点光源と呼べるような輝点が複数生じるわけではなく、中心部分のみに輝点が現れる。【００２８】  一方、光源１３０から装飾板１２０に照射された光は水平方向に拡がるだけではなく、垂直方向にも拡がって照射される。図３は、光源１３０に対向する装飾板１２０の中央部分に垂直面を仮定し、その垂直面上に照射された照射光からの反射光の振る舞いをマクロで見た図である。図３（ａ）に示すように、光源１３０から照射光が照射されると、図３（ｂ）に示すように、垂直面上から反射光が得られる。これら反射光において、各々の水平線では図２に示したように中央部分のみに輝点が現れるため、図３（ｃ）に示すように、中央の垂直面上には輝点が垂直に並んで見えることとなる。しかし後述するように、各輝点の虚像の形成位置は、上下に離れるほど反射加工面からの形成位置が奥側に形成されるため、あたかも壁面の奥に水平に広がる水平面があり、ヘッドライトのように前方に延びる光がその水平面上を照らした時に形成される光線軌跡のように見え、あたかも壁面の奥側に空間が拡がっているように視覚される。【００２９】  図４〜図６は、光学的に、上記の現象をさらに詳しく説明する図である。  図４は、比較上、装飾板１２０の反射面を鏡面とした場合の光線と、虚像の見え方を示す図である。  図４に示すように、光源１３０となるＬＥＤが鏡面に近接した位置にあり、視覚者がその後ろ側から関係となっている。ここで、光源１３０となるＬＥＤから照射される光のうち、代表的に４本の照射光を描いた。【００３０】  照射光(1)は、上方に向かって照射された光であるが、反射光(1)は鏡面では入射角度に応じた反射角度となり、さらに上方へ向かい、視覚者の眼には入射しない。  照射光(2)は、やや下方に向かって照射された光であるが、反射光(2)は鏡面では入射角度に応じた反射角度となり、ちょうど視覚者の目に入射するものとなっている。この場合、視覚者の眼には虚像が見える。虚像の見える位置は照射光(1)を鏡面で折り返したような位置に形成されているように見える。  照射光(3)は、下方に向かって照射された光であるが、反射光(3)は鏡面では入射角度に応じた反射角度となり、さらに下方へ向かい、視覚者の眼には入射しない。  照射光(4)は、下方に向かって照射された光であるが、反射光(4)は鏡面では入射角度に応じた反射角度となり、さらに下方へ向かい、視覚者の眼には入射しない。  このように、装飾板１２０の反射面を鏡面とした場合、明瞭な虚像が見えることとなる。【００３１】  次に、図５は、装飾板１２０の���射面を反射加工面とした場合の光線と、虚像の見え方を示す図である。  図５に示すように、光源１３０となるＬＥＤが反射加工面に近接した位置にあり、視覚者がその後ろ側から関係となっている。ここで、図４と同様、光源１３０となるＬＥＤから照射される光のうち、代表的に４本の照射光を描いた。【００３２】  照射光(1)は、やや上方に向かって照射された光であるが、反射加工面では点光源が現れるため、反射光(1)の一部は、ちょうど視覚者の目に入射するものとなっている。この場合、視覚者の眼には虚像が見える。視覚者にとって虚像は、照射光(1)が反射加工面に当たるまでの距離分、反射加工面より奥側の位置に形成されているように見える。  照射光(2)は、やや下方に向かって照射された光であるが、反射加工面では点光源が現れるため、やはり反射光(2)の一部は、ちょうど視覚者の目に入射するものとなっている。この場合、視覚者の眼には虚像が見える。視覚者にとって虚像は、照射光(2)が反射加工面に当たるまでの距離分、反射加工面より奥側の位置に形成されているように見える。  照射光(3)、照射光(4)は、照射光(2)と同様、やや下方に向かって照射された光であるが、反射加工面では点光源が現れるため、やはり反射光(3)、反射光(4)の一部は、ちょうど視覚者の目に入射するものとなっている。この場合、視覚者の眼には虚像が見える。視覚者にとって虚像は、照射光(3)、照射光(4)が反射加工面に当たるまでの距離分、反射加工面より奥側の位置に形成されているように見える。  図５に示すように、視覚者にとって、反射加工面にはその距離や角度に応じて点光源が垂直方向に並んでいるように見えるわけである。【００３３】  図６は、光源１３０となるＬＥＤから照射される照射光を多数設け、それらから生じる反射光、虚像を書き込んだ図である。図６に示すように、多数の虚像が垂直面上に並んでいるように見えるが、下方に形成される虚像ほど反射加工面から奥側に形成されているように見えるため、多数の虚像が合成されて見える光線軌跡は、あたかも壁面の奥に水平に広がる水平面があり、ヘッドライトのように前方に延びる光がその水平面上を照らした時に形成される光線軌跡のように見え、壁面の奥側に空間が拡がっているように視覚されるわけである。【００３４】  なお、ここでは、光源１３０の照射軸については、装飾板１２０の反射面に対して直交した角度であるものとしたが、所定の角度を持って支持されたものでも良い。光源１３０の照射軸の角度を変化させると、多数の虚像が合成されて見える光線軌跡の強さや位置が変化する。【００３５】  また、上記例では、装飾板１２０の反射加工面に設けられた極細の多数の溝は、略水平に設けたものであるが、曲線状に設けることも可能である。極細の多数の溝を曲線状に設けた場合、やはり多数の虚像が合成されて見える光線軌跡の強さや位置が変化する。なお、極細の多数の溝を曲線状に設けた場合において、支持体１１０における光源１３０の支持も曲線状に並べて支持するようにすることもできる。【００３６】  このように、極細の多数の溝の設け方、支持体１１０における光源１３０の支持姿勢、光源１３０の照射軸の配置角度などに応じて、多数の虚像が合成されて見える光線軌跡の強さや位置を変化させ���ことができる。【００３７】  また、上記の装飾板１２０の素材は、例えば、ステンレス、アルミニウム、真鍮などの金属面などのほか、ガラス面、アクリル板のようなプラスチック板、磨き上げた木板など多様な素材であっても良い。素材の違いに応じて、光線軌跡の色合いや風合いが異なり、それぞれに趣きがある視覚的効果が得られる。【００３８】  以上が、本発明の照明システム１００において得られる特別な視覚効果が生じる原理である。  なお、本発明の照明システム１００では、上記の特別な視覚効果に加え、支持物の棚状に載せ置かれたオブジェクトに対する装飾効果も得られる。つまり、本発明の照明システム１００は、オブジェクトを強く輝かせるような、いわゆる直接照明ではなく、その周囲に目を引く視覚効果を奏することにより、対象物の周囲を含む空間に対する落ち着いたような照明効果をもたらすことができる。【００３９】  以上説明した原理により、本発明の照明システム１００は、光源１３０と、平滑な平面に対して極細の多数の略平行線または略平行曲線の溝を設けた反射加工面を持つ装飾板１２０を備えた構成により、光源からの照射光を装飾板１２０の反射加工面に対して照射することにより、極細の多数の略平行線または略平行曲線の溝による反射光を照明効果とすることができる。  装飾板１２０の反射加工面に光源１３０からの照射光が当たった場合、その反射パターンは、あたかも壁面の奥に水平に広がる水平面上を照らして形成される光線軌跡のように見え、壁面の奥側に空間が拡がっているように視覚される。また、背景の映り込みのような鏡像はなく、人が壁面の前に立つとあたかも壁面の向こう側に奥行きが拡がるように見える視覚効果、装飾的効果をもたらすことができる。【００４０】  上記の視覚的効果は、光源１３０の種類とその個数が異なっても基本的な原理は同様であり、照明システム１００によって多数のバリエーションがあり得る。例えば、複数個の点光源としても良いし、１本または複数本の線光源としても良い。また、光源１３０の照射軸については、装飾板１２０の反射面に対して直交した角度であっても良いし、所定の角度を持って支持されたものでも良い。  また、上記の視覚的効果は、装飾板１２０に設けられた多数の極細の溝の方向や曲がり具合などによっても様々なバリエーションが生じ得るが、基本的な原理は同様である。【００４１】  さらに、光源１３０を時間的に変化させること、例えば、光源１３０のオンオフによる点滅制御、または、複数ある光源１３０の点灯している光源１３０の切り換え制御により、照明効果において時間的変化を加えることも可能である。例えば、複数並んでいる光源１３０を順々にオンオフを切り替えて行くと、光線軌跡が時間的に動いているような視覚的効果を与えることができる。  また、さらに、光源１３０を多色の光源とし、照射光の色変化の制御により、視覚的効果において色彩的変化を加えることも可能である。例えば、光源１３０が、赤、緑、青の３色の発光が可能な光源であり、時間的に、赤色発光、緑色発光、青色発光を切り替えることにより、視覚的効果において色彩的変化が生じる。
【実施例２】
【００４２】  実施例２として、実施例１に示した本発明の照明システム１００の様々な適用例について説明する。  本発明の照明システム１００は、実施例１に示した装飾板１２０と、その装飾板１２０に対して光源１３０が所定箇所に設けられており、その照射が制御されれば、実施例１に示した視覚的効果が得られる。  具体的構成として、実施例１に示した装飾板１２０を設けるとともに、その近隣に光源１３０を設ける必要がある。【００４３】  光源１３０を支持する構成として、支持体１１０を備えた構成とすることが可能である。支持体１１０が光源１３０を装飾板１２０の反射加工面に近接した状態で対向するように支持する構造物とすれば、実施例１に示したような視覚的効果を得ることが可能となる。  また、光源１３０を支持する構成として、支持体１１０のような構造物を装飾板１２０の反射加工面の前には設置せず、装飾体１２０の近隣の天井または壁面に対して光源１３０を取り付ける構成も可能である。【００４４】  まず、本発明の照明システム１００を用いた商品陳列ケース２００ａの構成例を示す。  図７は、本発明の照明システム１００を用いた商品陳列ケース２００ａの構成例を示す図である。図７（ａ）が正面図、図７（ｂ）が右側面図となっている。  図７に示すように本発明の照明システム１００を用いた商品陳列ケース２００ａは、部材としては、少なくとも、支持体１１０と、装飾板１２０と、光源１３０（図７には図示せず）を備えた商品陳列ケース２００ａとなっている。【００４５】  支持体１１０の形状自体は特に限定されないが、例えば、図７の例では装飾板１２０の前に据え付ける什器のように多数の棚が設けられた構造となっている。この棚には多少の奥行き幅があるものとなっており、後述するように、その棚の内部に光源１３０が埋設されており、装飾板１２０側に対して照射光を照射するように配置されている。  支持体１１０は、図７（ｂ）に示すように、装飾体１２０との間に間隙を開けて装飾板１２０の前に配置されている。つまり、光源１３０の支持位置は装飾板１２０に少し距離を開けて対向した位置に配置されている。【００４６】  図８は、本発明の照明システム１００を用いた商品陳列ケース２００ａの内部構造を簡単に示す断面図である。図８（ａ）が縦横断面図、図８（ｂ）が右側断面図となっている。  図８（ａ）に示すように、支持体１１０の棚の内部には多数の光源１３０が埋設されており、装飾板１２０側に対して照射光を照射するように配置されているものとする。なお、棚が略水平に設けられ、ＬＥＤなどの光源１３０が略水平に並べられており、この例では、反射加工面における極細の平行線または平行曲線の溝１２２が設けられている方向と同じ方向となっている。  実施例１に示した本発明の照明システム１００を用いることにより、光源１３０を点灯することにより照射光を照射すると、実施例１に示したような視覚効果が得られる。【００４７】  実施例１に示したように、装飾板１２０の反射面が、鏡のように単なる鏡像を映し出すものではなく、人がその前に立っても壁面の向こう側に奥行きが拡がるように見える視覚効果であり、反射光の反射パターンは、あたかも壁面の奥に水平に広がる水平面があり、ヘッ��ライトのように前方に延びる光がその水平面上を照らした時に形成される光線軌跡のように見え、あたかも壁面の奥側に空間が拡がっているように視覚される。【００４８】  図９は、照明システムを用いた商品陳列ケース２００ａにおいて奏される視覚効果を分かりやすく簡単に示した図である。  図１０は、試作品の装飾板１２０の反射加工面において実際に得られる反射光の反射パターンの光線軌跡１４０の実例を示す図（その１）である。  図１１は、試作品の装飾板１２０の反射加工面において実際に得られる反射光の反射パターンの光線軌跡１４０の実例を示す図（その２）である。  一方、図１２は、比較のために装飾板１２０が鏡面である場合に得られる像を分かりやすく簡単に示した図である。【００４９】  図９には、支持体１１０はごく簡単に一部のみを示している。光源１３０は支持体１１０の裏側に隠れており、装飾板１２０に対向するように設けられている。また、装飾板１２０もごく簡単に一部の反射面のみを示しており、反射加工面の表面の溝については図を見やすいように、特に図示していない。また、装飾板１２０には説明が分かりやすいように、点線にて補助線を書き込んでいる。【００５０】  図９に示すように、光源１３０から照射された照射光は装飾板１２０の反射面に当たり、反射光を反射し、反射パターンである光線軌跡１４０を形成するが、図９の例では、装飾板１２０に現れる光線の軌跡として視覚者には見える。図９の例ではごく簡単に模式的に描いているが、反射光の反射パターンである光線軌跡１４０は、あたかも壁面の奥に水平に広がる水平面があり、ヘッドライトのように前方に延びる光がその水平面上を照らした時に形成される光線軌跡のように見え、あたかも壁面の奥側に空間が拡がっているように視覚されることが分かる。【００５１】  なお、装飾板１２０の反射加工面において実際に得られる反射光の反射パターンの光線軌跡１４０の実例は、図１０や図１１に示すようなものである。図１０や図１１に示すように、実際に装飾板の反射加工面１２０において得られる反射光の反射パターンの光線軌跡１４０は、ヘッドライトで奥行きがある空間に向けて照らした如く壁の奥側に延びる光線軌跡１４０のように見えていることが分かる。視覚者はこのような光線軌跡を見ると、あたかも壁面の奥に水平に広がる水平面があるように感得される。図１１において、視覚効果が分かりやすいように、参考に様々なオブジェクトを支持体１１０の桟の上においている。視覚者は、図１１のように、オブジェクトの壁側の方向にも空間が広がっているように見えるが、実際にはオブジェクトのすぐ奥側には装飾板１２０が接するように存在している。これは一種の視覚上の錯覚であるが、それは光線軌跡１４０があたかもヘッドライトで奥行きがある空間に向けて照らした如く壁の奥側に延びる光線軌跡のように見えるために感得される視覚的効果である。【００５２】  なお、装飾板１２０には、その奥側に向かって延びる光線軌跡１４０ははっきりと高輝度で明瞭に見えるものの、表面に多数の極細の略平行線または略平行曲線の溝が設けられた反射加工面は鏡面に比べて反射率が低いため、鏡面のように支持体１１０や視覚者の人物像などは明瞭には見えないか���見えたとしても輝度が低く、反射パターンである光線軌跡１４０に比べて目立たないものである。【００５３】  一方、図１２に示すように、もし、装飾板１２０が鏡面であれば、単に鏡像が見え、支持体１１０、その内部に組み込まれた光源１３０が映り込み、光源１３０が点光源としてまぶしく点状に見える。また、オブジェクトの像、さらには視覚者自身の像も映り込み、そこに鏡面があることが明瞭に認識されてしまう。  しかし、本発明の照明システム１００を用いた商品陳列ケース２００ａでは、図９に示すように、装飾板１２０の箇所にガラス面のような何らかの平面があるとは分かるものの、その奥側は別途空間が拡がっており、ライトによってその奥側の空間を照らしているような特別な視覚効果が得られている。【００５４】  別の商品陳列ケース２００ｂの例についても示す。  図１３は、商品陳列ケース２００ｂの商品陳列棚と背面の化粧板部分に本発明の照明システム１００を組み込んだ例を簡単に示す図である。いわゆる商品陳列棚自体を支持体１１０として活用し、商品ショーケースの化粧板部分を装飾板１２０とした例である。商品ショーケース３００のさらに奥側にも空間が拡がっているような視覚効果が得られ、商品の周囲に奥行きと落ち着いた雰囲気を醸し出している。【００５５】  本発明の照明システム１００は、実施例１に示したように、支持体１１０と、反射加工面を反射面とした装飾板１２０、支持体１１０に組み込まれた光源１３０を備え、光源１３０が支持体１１０により装飾板１２０の反射加工面に近接した状態で対向するように支持されていれば、本発明の特別な視覚効果が得られるため、その構成をその他にも多様な物品や多様な什器や多様な室内装飾に組み込むことができる。【００５６】  例えば、本発明の照明システム１００を建築装飾物や、店舗装飾物や、家具等に組み込むことができる。  図１４は、バーカウンターの下の化粧板部分に本発明の照明システム１００を組み込んだ店舗装飾物２００ｃの例を簡単に示す図である。いわゆる足載せ台の部分が支持体１１０となり、その裏側に光源１３０が組み込まれており、バーカウンターの下の化粧板部分が装飾板１２０となっている。図１４に示すように、バーカウンターの下の化粧板部分には、あたかも奥側にも空間が拡がっているような面白味が醸し出されている。その他建築装飾物や家具に本発明の照明システム１００を組み込んだ例も同様である。【００５７】  また、例えば、本発明の照明システム１００を建築物の壁面２００ｄに組み込むことができる。  図１５は、建物物の壁面２００ｄに本発明の照明システム１００を組み込んだ例を簡単に示す図である。この例では、光源１３０が壁面近くの天井に設けられている。壁面に装飾板１２０が取り付けられており、その反射加工面に向けて天井に設けた光源１３０から照射光が照射される仕組みとなっている。この構成でも実施例１に示した視覚的効果を得ることができる。【００５８】  また、例えば、本発明の照明システム１００を建築の天井２００ｅに組み込むことができる。  図１６は、建物物の天井２００ｅに本発明の照明システム１００を組み込んだ例を簡単に示す図である。この例では、光源１３０が天井近くの壁面に設けられている。天井に装飾板１２０が取り付けられており、その反射加工面に向けて壁面に設けた光源１３０から照射光が照射される仕組みとなっている。この構成でも実施例１に示した視覚的効果を得ることができる。【００５９】  また、例えば、本発明の照明システム１００を看板２００ｆに組み込むことができる。  図１７は、本発明の照明システム１００を組み込んだ看板２００ｆの例を簡単に示す図である。光源１３０が広告看板の近くに設けた支持体１１０または近くの壁面に設けられている。看板の広告面に装飾板１２０が取り付けられており、その反射加工面に向けて光源１３０から照射光が照射される仕組みとなっている。この構成でも実施例１に示した視覚的効果を得ることができる。  本発明の照明システム１００は、上記の例に限定されることなく、その他の様々な対象物に組み込むことができ、それぞれにおいて優れた視覚効果を奏することができる。【００６０】  以上、本発明の照明システムの構成例における好ましい実施例を図示して説明してきたが、本発明の技術的範囲を逸脱することなく種々の変更が可能であることは理解されるであろう。
【産業上の利用可能性】
【００６１】  本発明の照明システムは、広く普及している照明システムに適用することができる。建築装飾物、建築物の壁面、天井、室内の什器、商品陳列ケース、家具、看板など、様々なものに組み込むことができ、優れた視覚効果を奏することができる。
【図面の簡単な説明】
【００６２】
【図１】反射加工面の一部を拡大した図である。
【図２】一つの水平線を仮定し、その水平線上に照射された照射光からの反射光の振る舞いをマクロで見た図である。
【図３】光源１３０に対向する装飾板１２０の中央部分に垂直面を仮定し、その垂直面上に照射された照射光からの反射光の振る舞いをマクロで見たものである。
【図４】比較上、装飾板１２０の反射面を鏡面とした場合の光線と、虚像の見え方を示す図である。
【図５】装飾板１２０の反射面を反射加工面とした場合の光線と、虚像の見え方を示す図である。
【図６】光源１３０となるＬＥＤから照射される照射光を多数設け、それらから生じる反射光、虚像を書き込んだ図である。
【図７】本発明の照明システム１００を組み込んだ商品陳列棚２００ａの例を簡単に示す図である。
【図８】本発明の照明システム１００を組み込んだ商品陳列棚２００ａの内部構造を簡単に示す断面図である。
【図９】照明システムによりもたらされる視覚効果を分かりやすく簡単に示した図である。
【図１０】試作品の装飾板１２０の反射加工面において実際に得られる反射光の反射パターンの光線軌跡１４０の実例を示す図（その１）である。
【図１１】試作品の装飾板１２０の反射加工面において実際に得られる反射光の反射パターンの光線軌跡１４０の実例を示す図（その２）である。
【図１２】比較のために装飾板が鏡面である場合に得られる像を分かりやすく簡単に示した図である。
【図１３】商品ショーケースの商品陳列棚と背面の化粧板部分に本発明の照明システム１００を組み込んだ商品陳列ケース２００ｂの例を簡単に示す図である。
【図１４】バーカウンターの下の化粧板部分に本発明の照明システム１００を組み込んだ店舗装飾物２００ｃの例を簡単に示す図である。
【図１５】本発明の照明システム１００を組み込んだ建物の壁面２００ｄの例を簡単に示す図である。
【図１６】本発明の照明システム１００を組み込んだ建物の天井２００ｅの例を簡単に示す図である。
【図１７】本発明の照明システム１００を組み込んだ看板２００ｆの例を簡単に示す図である。
【符号の説明】
【００６３】  １００  照明システム  １１０  支持体  １２０  装飾板  １２１  山部分  １２２  溝  １３０  光源  １４０  反射パターンの光線軌跡
【図１】
2013118721.tif 000003
【図２】
2013118721.tif 000004
【図３】
2013118721.tif 000005
【図４】
2013118721.tif 000006
【図５】
2013118721.tif 000007
【図６】
2013118721.tif 000008
【図７】
2013118721.tif 000009
【図８】
2013118721.tif 000010
【図９】
2013118721.tif 000011
【図１２】
2013118721.tif 000012
【図１３】
2013118721.tif 000013
【図１４】
2013118721.tif 000014
【図１５】
2013118721.tif 000015
【図１６】
2013118721.tif 000016
【図１７】
2013118721.tif 000017
【図１０】
2013118721.tif 000018
【図１１】
2013118721.tif 000019
【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
光源と、前記光源が照射する照射光を反射する反射面を提供する装飾板とを備えた照明システムにおいて、
前記装飾板の反射面を、平滑面に対して極細の多数の略平行線または略平行曲線の溝を設けた反射加工面とし、
前記装飾板の反射加工面に対して近接した状態で対向するように配設した支持体を備え、前記支持体における前記装飾板の反射加工面との対向面側に前記光源を前記反射面の溝の略平行線または略平行曲線に対応して直線上または曲線上に並べて配設した照明システム。
【請求項２】
前記光源が複数個の点光源である請求項１に記載の照明システム。
【請求項３】
前記光源が１本または複数本の線光源である請求項１に記載の照明システム。
【請求項４】
前記装飾板の反射加工面が天井または壁面に対して取り付けられ、前記支持体が前記装飾板の反射加工面の近隣の天井または壁面に対して取り付けられていることを特徴とする請求項１乃至３のいずれか１項に記載の照明システム。
【請求項５】
前記装飾板の反射加工面に対して前記支持体が複数設けられ、それら支持体の間に前記極細の溝が走るように配設された請求項１乃至４のいずれか１項に記載の照明システム。
【請求項６】
前記支持体が、前記装飾体との間に間隙を開けて前記装飾板の前に配置した棚状の桟を含む構造物であり、前記光源の支持位置が前記棚状の桟の前記装飾板に対向した面側にあることを特徴とする請求項１乃至５のいずれか１項に記載の照明システム。
【請求項７】
前記光源の照射軸が前記装飾板の前記反射面に対して直交した角度で支持された請求項１乃至６のいずれか１項に記載の照明システム。
【請求項８】
前記光源の照射軸が前記装飾板の前記反射面に対して所定の角度を持って支持された請求項１乃至６のいずれか１項に記載の照明システム 。
【請求項９】
前記光源の点滅制御、または、点灯している前記光源の切り換え制御により、前記照明効果において時間的変化があることを特徴とする請求項１乃至７のいずれか１項に記載の照明システム。
【請求項１０】
前記光源が多色の光源であり、照射光の色変化の制御により、前記照明効果において色彩的変化があることを特徴とする請求項１乃至７のいずれか１項に記載の照明システム。
【請求項１１】
請求項１乃至１０のいずれか１項に記載の照明システムを用いた建築装飾物。
【請求項１２】
請求項１乃至１０のいずれか１項に記載の照明システムを用いた壁面。
【請求項１３】
請求項１乃至１０のいずれか１項に記載の照明システムを用いた天井。
【請求項１４】
請求項１乃至１０のいずれか１項に記載の照明システムを用いた店舗装飾物。
【請求項１５】
請求項１乃至１０のいずれか１項に記載の照明システムを用いた商品陳列ケース。
【請求項１６】
請求項１乃至１０のいずれか１項に記載の照明システムを用いた家具。
【請求項１７】
請求項１乃至１０のいずれか１項に記載の照明システムを用いた看板。
【手続補正２】
【補正対象書類名】明細書
【補正対象項目名】００１２
【補正方法】変更
【補正の内容】
【００１２】
本発明の照明システムは、光源と、前記光源が照射する照射光を反射する反射面を提供する装飾板とを備えた照明システムにおいて、前記装飾板の反射面を、平滑面に対して極細の多数の略平行線または略平行曲線の溝を設けた反射加工面とし、前記装飾板の反射加工面に対して近接した状態で対向するように配設した支持体を備え、前記支持体における前記装飾板の反射加工面との対向面側に前記光源を前記反射面の溝の略平行線または略平行曲線に対応して直線上または曲線上に並べて配設した照明システムである。
上記構成により、反射加工面には極細の多数の略平行線または略平行曲線の溝が設けられており、反射加工面に光源からの照射光が当たった場合、溝や溝間の一つ一つの突起点が点光源となりうるため、極めて多数の点光源が出現することとなる。さらにその反射加工面での反射パターンは、照射角度の大きさに応じて幾何学的に減衰するうえ、反射加工面は全体としては鏡面のようには高い反射率が得られず、点光源のような輝点の反射パターンしか出現せず、背景の映り込みのような画像はなく、また、側方には反射パターンが形成されにくく、光源位置に近い中央部分のみに反射パターンが出現する。その反射パターンは、あたかも壁面の奥に水平に広がる水平面上を照らして形成される光線軌跡のように見え、壁面の奥側に空間が拡がっているように視覚される。
【手続補正３】
【補正対象書類名】明細書
【補正対象項目名】００１５
【補正方法】変更
【補正の内容】
【００１５】
また、光源の設ける位置や場所にも様々なパターンがあり得る。
例えば、光源を支持する支持体を、装飾板の反射加工面の近隣の天井または壁面に対して取り付けるパターンがある。
また、例えば、光源を支持する支持体を装飾板の反射加工面に近接した状態で対向するように支持する構造物とするパターンがある。支持体を用いるパターンとしては、一例としては、支持体が、装飾体との間に間隙を開けて装飾板の前に配置した棚状の桟を含む構造物であり、光源の支持位置が棚状の桟の装飾板に対向した面側とする構成がある。
また、装飾板の反射加工面に対して支持体を複数設ける構成もある。この場合、それら支持体の間に極細の溝が走るように配設されるように構成する。
【手続補正書】
【提出日】平成27年2月7日(2015.2.7)
【手続補正１】
【補正対象書類名】特許請求の範囲
【補正対象項目名】全文
【補正方法】変更
【補正の内容】
【特許請求の範囲】
【請求項１】
光源と、前記光源が照射する照射光を反射する反射面を提供する装飾板とを備えた照明システムにおいて、
前記装飾板の反射面を、平面または略平面に対して極細の多数の略平行線または略平行曲線の溝を設けた反射加工面とし、
前記装飾板の反射加工面に対して近接した状態で対向するように配設した支持体を備え、前記支持体における前記装飾板の反射加工面との対向面側に前記光源を前記反射面の溝の略平行線または略平行曲線に対応して直線上または曲線上に並べて配設した構成とし、
前記光源からの照射光を前記支持体の対向面側から前記装飾板の前記反射加工面に対して照射すれば、前記反射加工面上の前記極細の多数の溝により背景の映り込みが抑制されるとともに、前記極細の多数略平行線または略平行曲線の溝により形成される反射光が前記光源の方向から前記反射加工面の奥側へ延びる空間を照らす複数の光線軌跡の列と見える照明効果を与える照明システム。
【請求項２】
前記光源が複数個の点光源である請求項１に記載の照明システム。
【請求項３】
前記光源が１本または複数本の線光源である請求項１に記載の照明システム。
【請求項４】
前記装飾板の反射加工面が天井または壁面に対して取り付けられ、前記支持体が前記装飾板の反射加工面の近隣の天井または壁面に対して取り付けられていることを特徴とする請求項１乃至３のいずれか１項に記載の照明システム。
【請求項５】
前記装飾板の反射加工面に対して前記支持体が複数設けられ、それら支持体の間に前記極細の溝が走るように配設された請求項１乃至４のいずれか１項に記載の照明システム。
【請求項６】
前記支持体が、前記装飾体との間に間隙を開けて前記装飾板の前に配置した棚状の桟を含む構造物であり、前記光源の支持位置が前記棚状の桟の前記装飾板に対向した面側にあることを特徴とする請求項１乃至５のいずれか１項に記載の照明システム。
【請求項７】
前記光源の照射軸が前記装飾板の前記反射面に対して直交した角度で支持された請求項１乃至６のいずれか１項に記載の照明システム。
【請求項８】
前記光源の照射軸が前記装飾板の前記反射面に対して所定の角度を持って支持された請求項１乃至６のいずれか１項に記載の照明システム 。
【請求項９】
前記光源の点滅制御、または、点灯している前記光源の切り換え制御により、前記照明効果において時間的変化があることを特徴とする請求項１乃至７のいずれか１項に記載の照明システム。
【請求項１０】
前記光源が多色の光源であり、照射光の色変化の制御により、前記照明効果において色彩的変化があることを特徴とする請求項１乃至７のいずれか１項に記載の照明システム。
【請求項１１】
請求項１乃至１０のいずれか１項に記載の照明システムを用いた建築装飾物。
【請求項１２】
請求項１乃至１０のいずれか１項に記載の照明システムを用いた壁面。
【請求項１３】
請求項１乃至１０のいずれか１項に記載の照明システムを用いた天井。
【請求項１４】
請求項１乃至１０のいずれか１項に記載の照明システムを用いた店舗装飾物。
【請求項１５】
請求項１乃至１０のいずれか１項に記載の照明システムを用いた商品陳列ケース。
【請求項１６】
請求項１乃至１０のいずれか１項に記載の照明システムを用いた家具。
【請求項１７】
請求項１乃至１０のいずれか１項に記載の照明システムを用いた看板。
【手続補正２】
【補正対象書類名】明細書
【補正対象項目名】００１２
【補正方法】変更
【補正の内容】
【００１２】
本発明の照明システムは、光源と、前記光源が照射する照射光を反射する反射面を提供する装飾板とを備えた照明システムにおいて、前記装飾板の反射面を、平面または略平面に対して極細の多数の略平行線または略平行曲線の溝を設けた反射加工面とし、前記装飾板の反射加工面に対して近接した状態で対向するように配設した支持体を備え、前記支持体における前記装飾板の反射加工面との対向面側に前記光源を前記反射面の溝の略平行線または略平行曲線に対応して直線上または曲線上に並べて配設した構成とし、前記光源からの照射光を前記支持体の対向面側から前記装飾板の前記反射加工面に対して照射すれば、前記反射加工面上の前記極細の多数の溝により背景の映り込みが抑制されるとともに、前記極細の多数略平行線または略平行曲線の溝により形成される反射光が前記光源の方向から前記反射加工面の奥側へ延びる空間を照らす複数の光線軌跡の列と見える照明効果を与える照明システムである。
上記構成により、反射加工面には極細の多数の略平行線または略平行曲線の溝が設けられており、反射加工面に光源からの照射光が当たった場合、溝や溝間の一つ一つの突起点が点光源となりうるため、極めて多数の点光源が出現することとなる。さらにその反射加工面での反射パターンは、照射角度の大きさに応じて幾何学的に減衰するうえ、反射加工面は全体としては鏡面のようには高い反射率が得られず、点光源のような輝点の反射パターンしか出現せず、背景の映り込みのような画像はなく、また、側方には反射パターンが形成されにくく、光源位置に近い中央部分のみに反射パターンが出現する。その反射パターンは、あたかも壁面の奥に水平に広がる水平面上を照らして形成される光線軌跡のように見え、壁面の奥側に空間が拡がっているように視覚される。
【国際調査報告】
2013118721.tif 000020
2013118721.tif 000021
2013118721.tif 000022
2013118721.tif 000023
2013118721.tif 000024